(57)【要約】フロアディスプレイシステム100は異なる実施形態で、１以上の次の特徴、即ち、多数の表示パネル310、315、325、330と、可変のイメージ方位520、577と、ネットワーク化されたデータ分配および管理108、109、125、800-804と、対話動作900-909、1000と、イメージ強化光学系1100と、制御されたオーディオ111と、保護カバー1200と、滑り防止素子1300.1と、香気技術1400と、盗難防止1500、1501と、トラックおよびトレンチシステム1910、1915と、特殊化された位置付け機構2020と、軽量でフレキシブルな層2100を備えている。
2006503341.tif 000002
【特許請求の範囲】
【請求項１】
フロアディスプレイシステムにおいて、
フロアカバーと、
フロアカバーに関連され、電子的に変更可能な任意の内容を表示できるように構成可能な電子ディスプレイ装置と、
制御装置と、
制御装置に結合されている感知装置とを具備し、
電子ディスプレイ装置により表示されるイメージは感知装置からの制御装置により受信された情報に基づいて方位を設定することを可能にされているフロアディスプレイシステム。
【請求項２】
制御装置は感知装置から受信された情報に基づいて少なくとも２人の人の間のフロアディスプレイシステムに対する近接差を決定し、前記情報に基づいてイメージを回転させるように構成可能にされている請求項１記載のフロアディスプレイシステム。
【請求項３】
制御装置はさらに、情報に基づいてイメージを変換させるように構成可能にされている請求項２記載のフロアディスプレイシステム。
【請求項４】
感知装置は少なくとも１つの近接度検出器を含んでいる請求項１記載のフロアディスプレイシステム。
【請求項５】
感知装置はフロアカバーに関連されている請求項１記載のフロアディスプレイシステム。
【請求項６】
感知装置はフロアディスプレイシステムの近くのオブジェクトに関連されている請求項１記載のフロアディスプレイシステム。
【請求項７】
電子ディスプレイ装置は複数の別々のパネルを具備している請求項１記載のフロアディスプレイシステム。
【請求項８】
フロアディスプレイシステムにおいて、
フロアカバーと、
フロアカバーに関連する電子ディスプレイ装置とを具備し、その電子ディスプレイ装置は電子的に変更可能な任意の内容を表示するように構成可能であり、複数の別々のパネルを具備し、さらに各別々のパネルはそれぞれイメージを独立して表示するように構成可能である電子ディスプレイ装置。
【請求項９】
各パネルはさらに、別のパネル上のイメージとは異なる方位でイメージを表示するように構成可能である請求項８記載のフロアディスプレイシステム。
【請求項１０】
少なくとも２つのパネルは複合イメージを形成するように構成可能である請求項８記載のフロアディスプレイシステム。
【請求項１１】
制御装置と、
制御装置に結合されている感知装置とを具備し、
電子ディスプレイ装置により表示されるイメージは感知装置から制御装置により受信された情報に基づいて回転されることが可能である請求項８記載のフロアディスプレイシステム。
【請求項１２】
イメージはさらに感知装置から制御装置により受信された情報に基づいて変換されることができる請求項１１記載のフロアディスプレイシステム。
【請求項１３】
少なくとも１つのパネルは第１の方向から観察するとき実質的に可視的であるが、第２の位置から観察するときには実質的に可視ではないイメージを表示するように構成されることができる請求項８記載のフロアディスプレイシステム。
【請求項１４】
フロアディスプレイシステムは選択された内容で局部的に構成されることができる請求項１記載のフロアディスプレイシステム。
【請求項１５】
フロアディスプレイシステムは選択された内容で遠隔的に構成されることができる請求項１記載のフロアディスプレイシステム。
【請求項１６】
フロアディスプレイシステムはそれが構成されるネットワークに含まれている請求項１５記載のフロアディスプレイシステム。
【請求項１７】
ネットワークは構内網である請求項１６記載のフロアディスプレイシステム。
【請求項１８】
ネットワークは広域網である請求項１６記載のフロアディスプレイシステム。
【請求項１９】
フロアディスプレイシステムは販売用システムに連結されている請求項１記載のフロアディスプレイシステム。
【請求項２０】
フロアディスプレイシステムは人から情報をリクエストし、記録するように構成されることができる請求項１記載のフロアディスプレイシステム。
【請求項２１】
フロアディスプレイシステムは少なくとも１つの対話装置を含んでいる請求項１記載のフロアディスプレイシステム。
【請求項２２】
少なくとも１つの対話装置はスピーチ入力装置である請求項２１記載のフロアディスプレイシステム。
【請求項２３】
少なくとも１つの対話装置はキーボードまたはキーパッドである請求項２１記載のフロアディスプレイシステム。
【請求項２４】
少なくとも１つの対話装置はタッチ感応ディスプレイスクリーンである請求項２１記載のフロアディスプレイシステム。
【請求項２５】
少なくとも１つの対話装置はフロアカバーに関連する圧力センサである請求項２１記載のフロアディスプレイシステム。
【請求項２６】
少なくとも１つの対話装置はカード読取装置である請求項２１記載のフロアディスプレイシステム。
【請求項２７】
少なくとも１つの対話装置はバーコードスキャナである請求項２１記載のフロアディスプレイシステム。
【請求項２８】
少なくとも１つの対話装置はクーポンディスペンサである請求項２１記載のフロアディスプレイシステム。
【請求項２９】
少なくとも１つの対話装置はカメラである請求項２１記載のフロアディスプレイシステム。
【請求項３０】
カメラは人のイメージを電子ディスプレイ装置に表示させるように構成されることができる請求項２９記載のフロアディスプレイシステム。
【請求項３１】
人のイメージは電子ディスプレイ装置上に表示されるメッセージ中に含まれている請求項３０記載のフロアディスプレイシステム。
【請求項３２】
人のイメージは娯楽メッセージを伝送するために変更可能である請求項３０記載のフロアディスプレイシステム。
【請求項３３】
さらに、電子ディスプレイ装置上に構成される回折プリズムを具備している請求項１記載のフロアディスプレイシステム。
【請求項３４】
さらにオーディオ装置を具備している請求項１記載のフロアディスプレイシステム。
【請求項３５】
オーディオ装置の出力の周波数およびボリュームは感知装置から制御装置によって受信された情報に基づいて制御可能である請求項３４記載のフロアディスプレイシステム。
【請求項３６】
制御装置は感知装置から制御装置によって受信された情報に基づいてオーディオ装置の出力を開始または停止させるように構成可能である請求項３４記載のフロアディスプレイシステム。
【請求項３７】
オーディオ装置は複数の指向性スピーカを具備し、制御装置は感知装置から制御装置によって受信された情報に基づいて、指向性スピーカにオーディオ出力を発生させるように構成されている請求項３４記載のフロアディスプレイシステム。
【請求項３８】
フロアディスプレイシステムは少なくとも１つの別のフロアディスプレイシステムに結合され、その別のフロアディスプレイシステムもまたオーディオ装置を具備し、両方のオーディオ装置はフロアディスプレイシステムが相互の予め定められた距離内にあるとき、オーディオ装置が同時にオーディオ出力を発生することを阻止するように制御可能である請求項３４記載のフロアディスプレイシステム。
【請求項３９】
フロアディスプレイシステムは感知装置から制御装置によって受信された情報に基づいて、別々にまたは組合わせて、オーディオ装置により出力されるオーディオを開始または停止させ、およびイメージの方位とオーディオ出力特性とを調節するために電子ディスプレイ装置により出力されるビデオを開始または停止するように構成されることができる請求項３４記載のフロアディスプレイシステム。
【請求項４０】
フロアディスプレイシステムは、リクエストが発話または対話装置を使用するデータ入力により行われる場合には、人物からのリクエストに対して視覚的出力またはオーディオ出力により応答するように構成されることができる請求項１記載のフロアディスプレイシステム。
【請求項４１】
さらに、電子ディスプレイ装置を覆って配置されている保護被覆を有している請求項１記載のフロアディスプレイシステム。
【請求項４２】
保護被覆は透明な部材で構成されている請求項４１記載のフロアディスプレイシステム。
【請求項４３】
さらに、透明な部材の上にハード被覆を備えている請求項４２記載のフロアディスプレイシステム。
【請求項４４】
さらに、ハード被覆上に反射防止被覆を具備している請求項４３記載のフロアディスプレイシステム。
【請求項４５】
さらに、透明な部材の上部表面上に反射防止被覆を具備している請求項４２記載のフロアディスプレイシステム。
【請求項４６】
さらに、透明な部材の下部表面上に反射防止被覆を具備している請求項４２記載のフロアディスプレイシステム。
【請求項４７】
さらに、保護被覆上に配置されている除去可能な保護シートを具備している請求項４１記載のフロアディスプレイシステム。
【請求項４８】
除去可能な保護シートは滑り防止特性を有している請求項４１記載のフロアディスプレイシステム。
【請求項４９】
除去可能な保護シートはスタックの形態の複数の除去可能な保護シートのうちの１つである請求項４７記載のフロアディスプレイシステム。
【請求項５０】
さらに、保護被覆上に配置されている連続的な材料のロール形態の滑り防止保護シート材料を具備している請求項４１記載のフロアディスプレイシステム。
【請求項５１】
さらに、複数の香気シートを備えている請求項１記載のフロアディスプレイシステム。
【請求項５２】
さらに、芳香ディスペンサを具備している請求項１記載のフロアディスプレイシステム。
【請求項５３】
さらに、警報システムを具備している請求項１記載のフロアディスプレイシステム。
【請求項５４】
警報システムは電気パルス発生器を具備している請求項５３記載のフロアディスプレイシステム。
【請求項５５】
さらに、耐水性素子を具備している請求項１記載のフロアディスプレイシステム。
【請求項５６】
フロアディスプレイシステムにおいて、
トレンチと、
トレンチ内に配置されたトラックと、
トレンチ内で受けられるように構成され、トラックに接続されている電子ディスプレイ装置とを具備し、電子ディスプレイ装置は電子的に変更可能な任意の内容を表示するように構成されることができるフロアディスプレイシステム。
【請求項５７】
トラックは少なくとも１つの電源とデータコンジットと関連され、電子ディスプレイ装置は電源とデータコンジットからそれぞれ少なくとも１つのパワーおよびデータを受取るように構成されている請求項５６記載のフロアディスプレイシステム。
【請求項５８】
さらに、トレンチのオープンスペースを充填するように構成されている少なくとも１つの適合セクションを具備している請求項５６記載のフロアディスプレイシステム。
【請求項５９】
さらに、電子ディスプレイ装置上に配置されている保護カバーを備えている請求項５６記載のフロアディスプレイシステム。
【請求項６０】
保護カバーは透明なウィンドウを具備している請求項５９記載のフロアディスプレイシステム。
【請求項６１】
さらに、電子ディスプレイ装置を所望のレベルまで上げるためにトレンチ内に配置されているライザーを具備している請求項５６記載のフロアディスプレイシステム。
【請求項６２】
フロアディスプレイシステムにおいて、
電子的に変更可能な任意の内容を表示するように構成可能である電子ディスプレイ装置と、
フロアに関して予め定められた角度で電子ディスプレイ装置を位置させるために電子ディスプレイ装置に結合されている位置設定機構を具備しているフロアディスプレイシステム。
【請求項６３】
位置設定機構はフレキシブルである請求項６２記載のフロアディスプレイシステム。
【請求項６４】
位置設定機構は拡張可能であり、引込み可能である請求項６２記載のフロアディスプレイシステム。
【請求項６５】
位置設定機構はばねを有している請求項６２記載のフロアディスプレイシステム。
【請求項６６】
さらに、電子ディスプレイ装置と背中合わせに配置されている別の電子ディスプレイ装置を具備し、電子表示装置と位置設定機構を共有している請求項６２記載のフロアディスプレイシステム。
【請求項６７】
電子ディスプレイ装置において、
軽量でフレキシブルな透明保護層と軽量でフレキシブルな背面層とを有している軽量でフレキシブルなフレームと、
透明な保護層と背面層との間に配置されている軽量でフレキシブルなディスプレイ素子とを具備している電子ディスプレイ装置。
【請求項６８】
さらに、軽量でフレキシブルな薄膜バッテリを具備している請求項６７記載のフロアディスプレイシステム。
【請求項６９】
ディスプレイ素子層は有機物の発光ダイオードを具備している請求項６７記載のフロアディスプレイシステム。
【請求項７０】
ディスプレイ素子層は光放射ポリマーを具備している請求項６７記載のフロアディスプレイシステム。
【発明の詳細な説明】
【技術分野】
【０００１】
本発明は可変イメージ方位を有するフロアディスプレイシステムに関する。
【背景技術】
【０００２】
本出願は、2002年10月12日出願の米国特許出願第60/418,626号明細書と、2002年11月19日出願の米国特許出願第60/428,387号明細書と、2002年11月22日出願の米国特許出願第60/429,044号明細書に示されている米国特許出願のパリ規約下でその権利を主張している。さらに、本出願は2003年５月16日出願の米国特許出願第10/438,923号明細書の部分継続である。米国特許出願第10/438,923号明細書は同時出願の2002年11月１日出願の米国特許出願第10/285,639号明細書の部分継続であり、これは2002年５月３日出願の米国特許出願第10/137,357号明細書の継続であり、2003年１月14日出願の米国特許第6,507,285号明細書として発行された。米国特許出願第10/137,357号明細書は2001年１月24日出願の米国特許出願第09/767,846号明細書の継続であり、2002年７月９日出願の米国特許第6,417,778号明細書として発行された。米国特許出願第09/767,846号明細書は1999年10月15日出願の米国特許出願第09/418,752号明細書の継続であり、現在は放棄されている。米国特許出願第09/418,752号明細書は1999年５月４日出願の米国特許出願第09/304,051号明細書の部分継続であり、2001年４月24日出願の米国特許第6,219,876号明細書として発行された。各前述の特許出願はここで十分に参考文献とされている。
【０００３】
広告および他の種類のメッセージは典型的に“垂直スペース”を使用する形態、即ち広告掲示板、壁、天井に取付けられたディスプレイ等で示されている。他方で、広告およびメッセージにおいて非常に潜在的であるが見落とされている１つの種類のスペースはフロアのスペースであり、これは“水平スペース”として特徴付けられることができる。
【０００４】
広告にフロアスペースを利用する努力がされている。接着剤（即ち“スティック−オン”）フロア転写画が知られている。このような転写画はカラフルなイメージを含み、“Ｄｒｉｎｋ  Ｃｏｋｅ”のようなある種の広告メッセージを伝えることができる。しかしながら、このような広告媒体はメッセージが静止し容易に変更されない事実により限定される。他方で、ここで全部が参考文献とされている米国特許第6,417,778号明細書にはイメージおよびテキストが容易に変更されることを可能にし、広告メッセージを迅速に適合可能にし、効率的に所望の顧客をターゲットとすることを可能にするフロアに関係する変更可能な電子ディスプレイが記載されている。
【発明の開示】
【発明が解決しようとする課題】
【０００５】
しかしながら、フロアまたは地面に表示された視覚的広告またはメッセージにより大衆と有効で効率的に会話するための挑戦が残されている。これらの挑戦には、ディスプレイの内容を容易に観察し理解するように方位る方法がある。対照的に、垂直のスペースでは、イメージの方位に関する試みは通常は存在しない。例えば、人々はほとんどの場合、地面の上に足を置き、頭を空中にするように位置しているので、人がコンピュータのモニタまたはテレビジョンセットを観察するとき、表示されるイメージはほとんど常に観察者が見るのは“正しい上側が上”である。したがって、同様に、垂直スペースの広告およびメッセージ中のイメージはほとんど常に観察者に関して正しい側が上である。
【０００６】
他方で、イメージが水平空間にあるとき、イメージの方位に関する問題が提起される。例えば、フロア上であり、フロアと同一平面上のイメージは任意の数の異なる方向から近寄られまたは観察されることができる。観察者の接近方向にしたがって、イメージは正しい上側が上、逆さま、横向き、または他の傾斜角度で観察者の視野から任意の方向で傾けられる。特に、フロア上のイメージが北を歩く観察者によって容易に見られ理解されるように方位が定められる（例えばこれらの観察者に関して正しい側が上）ことを想定する。このイメージは南を歩く観察者には逆さまであり、それ故、非常にわかりにくい。同様に、フロア上のイメージが西を歩く観察者に対して正しい位置の画面であるように方位が定められていると想定すると、同じイメージは東を歩く観察者に対して逆さまである。
【０００７】
このような考察は言語の差がいかにイメージの表示に影響するかを観察することによってさらに複雑にされる。例えば、英文のテキストは左から右へおよび上から下へ読取られるが、日本語のようなアジアの言語では、テキストはコラムの左から右の進行におけるコラムでは上から下に読取られる。イスラエルでは、テキストは右から左へ読取られる。
【課題を解決するための手段】
【０００８】
本発明の実施形態は他の特別な特徴の中で、可変イメージ方位を有するフロアディスプレイシステムに関する。特に、フロアディスプレイシステムにより表示されるイメージはイメージがより容易に観察され、理解されるようにするため、観察者の視野にしたがって方位を定められおよび／または方向を再変化されることができる。方位を定められ、および／または方向を再変化させるために、イメージは回転または他の方法で移動またはシフトされることができる。
【０００９】
フロアディスプレイシステムは商用の施設または他の公共の建物のような公共の場に配置され、広告またはその他の情報内容のような電子的に変更可能な随意選択的な内容を表示するように構成されることができる。例えば、フロアディスプレイシステムは販売用の棚に蓄積された商品近くに配置され、その商品に関する広告および販売促進内容を表示できる。可変のイメージの方向の設定に加えて、フロアディスプレイシステムはネットワーク化されたデータ分配および管理、相互対話、イメージ強化光学装置、制御されたオーディオ、保護カバー、滑り防止特性、香気技術、盗難防止、トラックおよびトレンチシステム中の配備、特殊化された位置付け機構、軽量でフレキシブルな構造等の特徴を含むことができる。本発明のこれらおよびその他の特徴を以下さらに詳細に説明する。
【発明を実施するための最良の形態】
【００１０】
前述の米国特許第6,417,778号明細書はフロアディスプレイにより情報を電子的に伝送するシステムを開示している。特にフロアディスプレイは例えば液晶ディスプレイを与える変更可能な電子ディスプレイ表面を備えている。ディスプレイはコンピュータに接続され、コンピュータが生成するイメージはディスプレイ上に表示されることができる。したがって、ディスプレイ上で表示されるイメージは異なるコンピュータイメージを生成し、コンピュータイメージをディスプレイ上に表示することによって変更されることができる。ディスプレイはその凹部内に含まれるようなフロアカバーのベース部分に関連されるか、或いはフロアカバーの挿入部の上方向に面する底部表面上に含まれることができる。その代わりに、ディスプレイはベース部分または挿入部分のいずれかと一体化して形成されることもできる。変更可能なディスプレイは任意の種々の方法でディスプレイ上に表示されることができる複数の異なるグラフィックを使用することができる。例えば、グラフィックは個別的または組合わせて多数のグラフィックを表示する両者の例示的な方法論により、ディスプレイ上のほぼ固定した位置に表示されるか、またはディスプレイを横切ってスクロールすることができる。
【００１１】
フロアカバー上に表示されるグラフィックを変更する別の代りの手段は、グラフィックを生成およびしたがって変更するために光放射ポリマーの使用を含んでいる。光放射ポリマーはフロアカバーに設けられるか、それに取付けられるか、織込まれることができる。光放射ポリマーは例えばベース部分または挿入部、或いはフロアカバーの異なる実施形態の任意の他の部分等、任意のフロアカバーの部分で利用されてもよい。光放射ポリマーは知られており、米国特許第5,945,502号、第5,869,350号、第5,571,626号明細書に記載されており、これらは全体的に本出願で参考文献とされている。
【００１２】
ディスプレイの他の選択肢は電子インクまたは電気ペーパーの使用である。電気ペーパーはゼロックス社から入手可能であり、これは米国特許第5,723,204号、第5,604,027号、第4,126,854号、第4,143,103号明細書に記載されており、それらは全て本出願で参考文献とされている。電気ペーパーは画素を生成するためにＧｙｒｉｃｏｎと呼ばれる数千の小さい帯電されたビーズを使用し、それぞれほぼ人間の髪の幅である。２トーンのビーズが紙の表面を形成する液体で充填されたプラスティックシート内に埋設される。半分が黒色で、半分が白色の各ビーズは電界に応答して旋回する。ビーズの黒色側が上であるか、または白色側が上であるかによってイメージが決定される。イメージをリフレッシュする必要がなく、スクリーンはバックライトではないため、電力は通常の電子ディスプレイによって使用されるパワーの小さいしか使用しない。電磁針およびプリンタ状の装置がイメージを紙上に生成するために使用されることができる。
【００１３】
電子インクはＥ  Ｉｎｋ社（45 Apinelli Pl.、ケンブリッジ、MA 02138）から入手可能である。電子インクはマイクロカプセル化されたマイクロ機械化ディスプレイシステムを使用する。小さいマイクロカプセルは画素を生成するためにプラスティックの２枚のシート間に捕捉される。代わりにカプセルは表面上にスプレーされてもよい。その結果フレキシブルなディスプレイ材料が得られる。小さいカプセルは透明で暗色のインクと白色の塗料チップの混合物を含んでいる。電気放電がカプセルを通過される。静電荷にしたがって、塗料チップは各カプセルの上部に浮遊するかまたは下部に位置する。塗料チップが上部で浮遊するとき、表面は白色に見える。これらが下部に位置し、したがってインクの下にあるとき、表面は黒色に見える。各２つの状態、即ち黒色または白色は安定である。シート表面に置かれた透明な電磁グリッドはイメージの形状を制御する。ディスプレイは例えばＭｏｔｏｒｏｌａページングシステムを利用することによって、例えばコンピュータおよびしたがってワールドワイドウェブに無線で接続されることができる。全てのディスプレイ上のテキストは多数のディスプレイが使用されるならば、ウェブページを通して単一のエディタにより直ちに変更されることができる。
【００１４】
本発明の実施形態によれば、前述の付加的または代わりの技術はフロアディスプレイシステムを構成するために使用されることができる。ここで使用される“フロア”は床、地面、またはコンクリート、アスファルト、カーペット、木材、リノリウム、タイル、ゴム、ビニール等を含んだ任意の表面を意味している。本発明の実施形態にしたがったフロアディスプレイシステム100が図１に示されている。フロアディスプレイシステム100はフロアカバー102に関連する電子ディスプレイ装置101を含んでいる。特に、ディスプレイ装置101はフロアカバー102に少なくとも部分的に接続され、支持され、その内部に受けられ、またはその他の方法でそれに関連されている。フロアカバー102および関連する電子ディスプレイ装置101は多数の構造形態を取り、種々のタイプの材料から構成されることが可能であり、ここで示す特別な形態に限定されない。実施形態では、フロアカバー102および電子ディスプレイ装置101は歩行者の往来が多いか、（車輪付きショッピングカートのような）他の往来のある場所で使用されるように設計されている。したがってフロアカバーと電子ディスプレイ装置は、フロアカバーおよびディスプレイ装置に対する悪影響が無視できる程度で、これらが反復的に、足で踏まれ、歩行され、または車輪付きショッピングカート、或いは他の回転または滑動するオブジェクトがその上を横切るのに対して十分に、頑丈で耐久性があるものである。電子ディスプレイ装置は例えば、電子ディスプレイ装置がそこを通して観察されることを可能にするために透明または半透明であり、引っかき、ひび、傷、破れ、または環境的な汚れにより生じる損傷のような足または他の歩行に関連する損傷から電子ディスプレイ装置を保護する頑丈な保護カバーを有しているとよい。フロアカバー102はフロアに固定されてもよく、或いはこれが異なる場所へ容易に移動できるように可搬性であってもよい。
【００１５】
図２Ａおよび２Ｂはそれぞれフロアカバー102の上面または平面図と、垂直面または側面図である。図２Ａおよび２Ｂに示されているように、フロアカバー102は少なくとも１つの傾斜された表面を有することができる。特に、フロアカバー102は（前述したように、ディスプレイ装置101の保護カバーの表面である）上部表面200から離れて下方向に傾斜する複数の傾斜した表面212、213、214、215を備えており、それによってフロアカバーの周辺部全体はフロアカバーに接近する人に対して傾斜した表面を与える。このような構造は例えばフロアカバーが商用の施設の通路に置かれる場合に、フロアカバー上を歩行する人によるまたは車輪付きショッピングカードによるフロアカバーの横断を容易にする。実施形態にしたがって、少なくともディスプレイ装置101の一部はフロアカバーの１以上の傾斜した表面と同一平面に配置されることができる。これはディスプレイ装置が僅かに高くなっているので、フロアカバーから遠距離の人またはそれに近づいてくる人にディスプレイ装置の表示を観察しやすくする。
【００１６】
図２Ｃおよび２Ｄは、さらにフレキシブルまたは圧縮可能なボーダー部材220を具備している本発明の実施形態を示している。ボーダー部材220は傾斜した表面212、213、214、215のエッジに接触するように構成されている。例えば、図２Ｄの断面図に示されているように、ボーダー部材1430は傾斜した表面215のエッジ221に接触してもよい。柔軟な表面を設けることにより、ボーダー部材のフロアからフロアカバー102への転移はフロアカバーを横切る人に気づかれないように急ではなくなる。ボーダー部材は単なる例示として金属、木、プラスティック、天然ゴム、シリコンゴム、発泡ゴムまたはウレタンのような材料から形成されることができる。
【００１７】
図１を参照すると、フロアカバー102に関連する電子ディスプレイ装置101はグラフィックイメージと文字数字を静止（移動または変化しない）または動的（例えばスクロールまたはその他の移動あるいは変化）フォーマットで電子的に表示するように構成されることができる。特に電子ディスプレイ装置101は配線または無線手段により制御装置103に結合され、ユーザにより選択された任意の内容を表示するように制御装置103によって変更可能である。例えば、図１に示されているように、電子ディスプレイ装置101はビデオグラフィックアダプタカード105のようなディスプレイドライバ回路により制御装置103に結合されることができる。制御装置103は任意の種類の電子論理回路、例えばソフトウェアにより構成可能な汎用マイクロプロセッサ、またはＡＳＩＣ（用途特定集積回路）を含むことができる。電子ディスプレイ装置のドライバ105は制御装置103と一体化されるかＡＳＩＣ中に組込まれることができる。制御装置はまたプロセッサまたはメモリと、ボードに組込まれた１以上のディスプレイ駆動回路と、外界と通信するため或いはデータをメモリにロードするための無線コンポーネントとを有する単一のボードのコンピュータの形態であってもよい。
【００１８】
制御装置は記憶媒体104に結合され、それはＲＡＭ（ランダムアクセスメモリ）、ＲＯＭ（読取専用メモリ）、フラッシュメモリまたはその他の不揮発性固体電子記憶装置、ＥＥＰＲＯＭ（電子的に消去可能でプログラム可能な読取専用メモリ）または磁気および／または光学的ディスク記憶装置を含むデジタルデータを記憶するのに適切な任意の形態の媒体であってもよい。記憶媒体104は例えば制御装置103による実行のための制御ソフトウェア、表示のための選択のビデオ内容を制御ソフトウェアの制御下において、電子ディスプレイ101で表示するために記憶することができる。ディスプレイモニタおよびキーボードを有するパーソナルコンピュータのようなユーザインターフェース（図示せず）は、特定の制御プログラムのような特定のユーザ入力を有する制御装置の構造が特定のディスプレイおよび／またはオーディオ出力を発生することを可能にするために制御装置に結合されることができる。高声器のようなオーディオ装置111はさらに音響カード110を介して制御装置103に結合される。オーディオ装置111は記憶媒体104中に記憶されている選択されたオーディオ内容を制御装置103の制御下で出力する。フロアディスプレイシステム100のコンポーネントは電源114により付勢されることができる。フロアディスプレイシステムは以下さらに詳細に説明するように、フロアディスプレイシステムの種々の対話応用を提供するため感知装置113をさらに具備してもよい。感知装置113は制御装置113に結合され、それに信号を提供する。感知装置と制御装置の接続は配線または無線である。
【００１９】
データは例えば共通のシステムバスに結合されているデータポート106を使用して記憶媒体104に記憶されることができる。バスは１例を挙げればＵＳＢ（ユニバーサルシリアルバス）であってもよい。フロアディスプレイシステムはさらに例えば無線ＷＡＮ／ＬＡＮカードを使用して構成される無線ポート107を具備している。この無線ポート107を通して、フロアディスプレイシステム100はネットワーク125と結合しそれと通信することができる。ネットワークはインターネットのような広域網（ＷＡＮ）または例えば他のフロアディスプレイシステムを含んでいる構内網（ＬＡＮ）を含んでいる任意の種類のネットワークでよい。ネットワーク125を通して、フロアディスプレイシステム100は例えば無線通信装置112によりネットワークのサーバコンピュータ108へ結合されることができる。サーバコンピュータ108はデータベース109に結合されることができる。データベース109はフロアディスプレイシステム100の動作に関する情報を記憶することができる。例えばデータベースはビデオおよびオーディオ内容またはフロアディスプレイシステムの記憶媒体104にダウンロード可能な制御ソフトウェアを含むことができる。したがって、フロアディスプレイシステム100は遠隔制御可能である。しかしながら、フロアディスプレイシステム100はネットワーク化される必要はなく、例えばデータポート106により局部的に内容および制御ソフトウェアをダウンロードすることによって局部的に制御されることができる。また、無線通信方法およびシステムが図１に示されているが、配線システムも使用されることができ、また有線システムと組合わされることもできる。
【００２０】
本発明の実施形態で使用されることのできる表示技術は、前述の技術に加えて、液晶表示装置（ＬＣＤ）、発光ダイオード（ＬＥＤ）、有機発光ダイオード（ＯＬＥＤ）、エレクトロルミネセンス（ＥＬ）表示装置、プラズマ表示パネル（ＰＤＰ）、印刷可能な電界エミッタを含んでいる電界放射表示装置（ＦＥＤ）、強誘電体表示装置、高分子発光ダイオード（ＰＬＥＤ）、光放射ポリマー（ＬＥＰ）、電子ペーパー、光放射セラミックまたはその他の光放射無機物材料を含んでいる。本発明の実施形態で使用されることのできる他の表示技術には光ファイバ技術が含まれており、ここでは遠隔イメージは電子的に形成され、光誘導ソースを使用してファイバアレイまたは束へ送信される。遠隔イメージの光源はフロアカバーの内部であっても、または外部であってもよい。他の考慮された表示技術にはホログラフ表示が含まれている。この技術では、白色光またはレーザホログラムが内部または外部でフロアカバー102に対して発生され、鋭角でディスプレイ101を観察する人に対して可視にするために、レンズ、恐らくはフレネルレンズにより焦点を結ばせてもよい。
【００２１】
前述したように、電子表示装置101は少なくとも文字数字データおよびグラフィックイメージを表示することができる。内容は選択されたビデオ内容にしたがって、静止または運動のいずれかまたは静止および動的の両者で、文字数字データ単独、グラフィックイメージ（例えば画像）単独、または２つの組合せを含んでいる。文字数字データとイメージの運動は例えばスクロールされる。文字数字データおよびグラフィックイメージは黒色および白色、或いは全色である。さらに、表示装置101は２以上の異なるディスプレイを含んでいてもよく、ディスプレイ装置の表示領域は内容に関して区画されることもできる。例えば表示領域は２以上の異なる“ウィンドウ”を含み、それぞれ異なる内容を表示することができる。このようなディスプレイの区画は例えば“分割スクリーン”ＴＶで知られており、マイクロソフト社によるいたる所にある“ウインドウズ（Ｒ）”ソフトウェアを含んでいる種々のグラフィックソフトウェアアプリケーションの広く普及した使用を通じてよく知られている。
【００２２】
種々のデジタルビデオファイルフォーマットはＭＰＥＧ（動画エキスパートグループ）、ＤＶＤ（デジタルバーサタイルディスク）またはデジタルビデオディスク、フラッシュを含み、電子ディスプレイ装置101にイメージを生成するために使用されることができる。さらに、例えばネットワークテレビジョンで使用される通常のビデオ内容は本発明の実施形態にしたがって、電子ディスプレイ装置101上に表示するためデジタルビデオ内容に変換されることができる。１つのこのような変換プロセスは、テープから通常のＮＴＳＣ（ナショナルテレビジョンシステム委員会）ビデオを取り、ビデオ捕捉カードによりコンピュータ上にそれを捕捉する処理を含んでいる。このタイプのカードの１例はＴａｒｇａ  ２０００  ＲＴＸボードである。捕捉されると、ビデオはデジタル装置により再生されることのできるフォーマットを有するファイルに圧縮される。そのファイルは例えばＭＰＥＧ１またはＭＰＥＧ２フォーマットで保存される。
【００２３】
実施形態にしたがって、フロアディスプレイシステム100のコンポーネントは前述したようにフロアカバー102に対して完全に内部に、フロアカバー102に対して完全に外部に収納されることができ、または幾つかのコンポーネントはフロアカバー102の内部に配置され、他のものは外部にされることもできる。
【００２４】
［可変イメージ方位設定］  
図３は本発明の実施形態にしたがって可変イメージ方位を有するフロアディスプレイシステムを示している。“イメージ”は静止または動的なフォーマットまたはその組合せのいずれかで、単一または任意の組合せの形態により、画像、デザイン、テキスト、符号等を含んでいる可視的表示が可能な任意のものを意味している。図３では、フロアディスプレイシステム100は同一のイメージのバージョン320、335により示されており、各バージョンはそれぞれの異なる方向から観察されるように方位が与えられている。特に、イメージ335は第１の観察者の視野から実質的に“正しい上が上”であり、イメージ320は第１の観察者の視野から実質的に“逆さま”である。他方で、第２の観察者の視野から、イメージ335は実質的に“逆さま”であり、イメージ320は実質的に“正しい上が上”である。図３に示されているようなフロアディスプレイシステムでは、システムの電子ディスプレイ装置101はフロアカバー102と関連する複数の別々の表示モジュールまたはパネル310、315、325、330を含むことができる。各パネルは任意の前述の表示技術を独立して実行することができる。２以上のパネルは複合イメージを表示するために構成することが可能であり、例えばパネル325と330上のそれぞれのディスプレイは複合イメージ335を形成する。さらに、各別々のパネルはイメージを独立して表示するように構成可能である。この文脈の“独立して”は複合画像の一部を意味するのではない。さらに、各パネルは別のパネル上のイメージから異なる方位でイメージを表示するように構成可能である。
【００２５】
幾つかの応用では、観察者が個々のパネルからイメージを観察者の直接正面で観察するだけで有効である。このような応用では、非常に浅い観察角度を有するある標準的なＬＣＤディスプレイが良好に動作できる。即ち、このような標準的なＬＣＤ技術を備えたディスプレイパネル310、315、325、330を適切な方位に配置することにより、対応するディスプレイを一方方向から観察されるとき実質的に可視にさせるが、別の方向から観察する時には実質的に不可視にさせることが可能である。例えば使用されるＬＣＤ技術にしたがって、パネルのエッジ327に近づくかまたはその近くに立っている観察者はパネル310と315上のイメージを明白に観察することができるが、パネル325と330上のイメージを明白に見ることができない。同様に、パネルのエッジ329に近づくかまたはその近くに立っている観察者はパネル325と330上のイメージを明白に観察することができるが、パネル310と315上のイメージを明白に見ることができない。このようにパネルに選択的に方位を与えることによってフロアディスプレイシステムに近づく観察者が観察して、観察者に対して逆さままたは斜めに見えるイメージを理解しようとして苦労することを阻止する。
【００２６】
図４は前述したように多パネルディスプレイの別の可能な応用を示している。図４に示されているように、各パネルは（２以上のパネルを使用して複合イメージを形成するのとは反対に）他のパネルと独立してイメージを表示するように構成される。図４の例では、各パネル310、315、325、330はそれぞれ異なる完全なイメージ410、415、425、430を示しており、ここで各イメージは他のイメージの少なくとも１つとは異なる方位を有する。例えば各イメージのそれぞれの方位はそれぞれの異なる方向から観察するのに最適になるように選択されることができる。このような特徴は例えばそれぞれ異なる方向から近づく人々へ異なるメッセージを表示するために使用されることができる。通常、図３および図４に示されているように本発明の実施形態は、例えば食品雑貨店の通路、階段の上または下、または入口／出口のような、人々が２つの相互に対向する方向で主に歩行する場所に配置されるときに特に有効である。本発明の実施形態にしたがった多パネルディスプレイは４つのパネルに限定されず、それより多いか少ないパネルも可能であることに注意すべきである。
【００２７】
本発明の実施形態によるさらに別の例が図５Ａ乃至図５Ｃに示されている。図５Ａ乃至図５Ｃに示されているように、フロアディスプレイシステム100は電子的に回転可能で変換可能な（即ち移動可能またはシフト可能な）イメージ520を有している。フロアディスプレイシステムはさらに例えば感知装置113中に含まれている複数の接近検出器530、540、550、560を具備している。接近検出器からの信号に基づいて、回転可能で変換可能なイメージは観察者がどの程度フロアディスプレイシステムに近いかのような規準に基づいて、観察者により観察されるために所望の方位に回転および／または変換される。
【００２８】
特に、接近検出器530、540、550、560は例えばフロアカバー102のエッジに設けられるか、取付けられ、或いは他の方法でそれに関連されている。例えば接近検出器530、540、550、560はそれぞれフロアカバーの傾斜した表面212、213、214、215に関連されることもできる。接近検出器は観察者の接近度にしたがって、所定の時間の所定のイメージ520の方位を決定するために使用される。例えば接近検出器はフロアディスプレイシステムの制御装置103に結合され、信号を制御装置へ送信する。接近検出器から受信される信号の情報に基づいて、第１の観察者580の接近検出器550に対する接近度が第２の観察者590の接近検出器540に対する接近度よりも近いことが制御装置により決定されることができる。制御装置による決定は例えば適切なハードウェアおよび／またはソフトウェアアルゴリズムを実行することにより行われることができる。例えば図５Ａに示されている状態下では、制御装置は観察者580の視野から正しい上側が上であるようにイメージ520に回転および／または変換させる。他方で、図５Ｂに示されているように、観察者590の接近検出器540に対する接近度が観察者580の接近検出器550に対する接近度よりも近いことが接近検出器からの入力に基づいて決定されることができる。同様に図５Ｃに示されているように、観察者595の接近検出器530に対する接近度が観察者590の接近検出器540に対する接近度よりも近いことが接近検出器からの入力に基づいて決定されることができる。これらの状態下で、イメージ520は観察者595の視野から正しい上側が上であるようにイメージ520は回転および／または変換されることができる。
【００２９】
前述したように、イメージの回転および／または変換を行う技術は知られている。例えば多数の現在利用可能な（ビデオグラフィックアダプタカード105のような）電子ディスプレイドライバと電子ディスプレイ装置101はこのような動作のために特別に設計されているソフトウェアによってイメージの回転および／または変換をサポートする。先に説明したように、接近検出器からの入力信号に基づいて、制御装置103は例えば複数の観察者のうちいずれが最も近く、フロアディスプレイシステムのいずれのエッジに近いかを決定するための決定ツリーを構成するための決定ソフトウェアを実行する。制御装置はしたがって表示されるイメージを回転および／または変換するために対応する回転および／または変換ソフトウェアを実行する。イメージの回転および／または変換は図５Ａ乃至図５Ｃに示されているように９０度のインクリメントで行われる必要はなく、１度の数分の１まで、回転のより精密な増加が可能であることに注意すべきである。
【００３０】
イメージの回転および／または変換ソフトウェアは実行のための１つの可能な方法であるが、別の方法では複数の異なる固定した方位でイメージを記憶し、接近決定にしたがって表示するため、所定のイメージを記憶されたイメージの中から選択することである。さらに接近は特別のイメージの方位の選択のためのただ１つの基礎ではなく、他の方法も可能である。例えばイメージは複数の異なる方位で定期的に循環するように構成されることができる。十分に近い観察者がいないか、接近の決定に到達しないならば、イメージのデフォルト方位が存在する。本発明の実施形態はさらに人の接近度に基づいて、“スクリーンセーバ”モードおよびビデオ出力の開始または停止を含む。
【００３１】
接近検出器は例えば、超音波検出器、熱検出器、運動検出器、ＩＲ（赤外線）距離探知器、電気アイ、カメラ、電荷結合装置（ＣＣＤ）またはその他のイメージングシステムを含む種々の形態で構成されることができる。
さらに図５Ａに示されているように、外形577は、先の図面で示したような実質的に正方形または長方形の形状ではなく、実質的に円形の形状を有する電子的に発生されたグラフィックの一部またはフロアディスプレイシステムの電子ディスプレイ装置101の実際の物理的エッジを表すことを意図していることに注意すべきである。本発明の実施形態による実質的に円形の電子ディスプレイ装置は接近センサからの信号に基づいてイメージを向き変えするために機械的に回転されることができる。他方で、図６Ａと６Ｂはフロアディスプレイシステムの電子ディスプレイ装置が先に説明したように実質的に方形または長方形の構造の多数のモジュールまたはパネルを具備している場合の電子（例えばソフトウェア駆動の）イメージの回転および／または変換を示している。
【００３２】
図７は接近検出が必ずしもフロアカバー102中に、またはその上に位置されている接近検出器により行われる必要がないことを示している。代わりに、例えば接近検出器がフロアディスプレイシステム100の近くのオブジェクト中に、またはその上に位置されるか、或いは他の方法でそれと関連されることができる。図７はフロアディスプレイシステム100に隣接する棚710上に位置された接近検出器715、720、730を示している。接近検出器715、720、730から受信された信号に基づいて、フロアディスプレイシステムの制御装置103は複数の観察者のうちいずれが最も近いかを決定し、回転可能／変換可能なイメージ720をそれにしたがって方位を設定する。この決定は例えばフロアディスプレイシステムからそれぞれの検出器の既知の距離に基づいて行われる。接近検出器は天井に位置されることもでき、または例えばトラック上で天井から吊るされることもできる。
【００３３】
［データの分配および管理］  
本発明の実施形態にしたがったフロアディスプレイシステムは商用施設（例えばマーケット、店舗）を含む多数のタイプの公共建物に配備されてもよいことが考えられる。個々の建物では、複数のフロアディスプレイシステムが配備されることができる。複数のフロアディスプレイシステムは例えば販売および価格をアナウンスし、商品の説明を行い、商業施設内の特定の場所に顧客を案内するため等に使用されることができる。したがって、それらの位置に基づいて特定のビデオ／オーディオ出力を生成するために、個別またはグループでフロアディスプレイシステムを制御することが有効である。特に、所定のフロアディスプレイシステムにより出力されたビデオ／オーディオ内容は例えば隣接する棚上の商品のような近くの商品に関係することができる。したがって、本発明の実施形態は以下説明するように特定のビデオ／オーディオ出力を発生するためにフロアディスプレイシステムを構成することに関係している。
【００３４】
［直接リンクダウンロード］  
図８Ａを参照すると、ユーザはハンドヘルドの制御装置／記憶装置（ＣＳＤ）のような構成装置800をフロアディスプレイシステム100に物理的に接続することによりフロアディスプレイシステム100を局部的に構成することができる。接続は例えばケーブルリンクのような直接リンク801を介してフロアディスプレイシステムの例えばデータポート106へ行われる。ユーザはその後、装置800からの選択されたビデオ／オーディオ内容および／または制御ソフトウェアをフロアディスプレイシステムの記憶媒体104へダウンロードする。いずれのデータがフロアディスプレイシステムへダウンロードされるかは例えばフロアディスプレイシステムが位置される場所と、したがってどの内容が関連されるかに基づいている。ダウンロードされるビデオ／オーディオ内容は同じ方法により新しいビデオ／オーディオ内容をダウンロードすることにより変更されることができる。
【００３５】
［構内網（ＬＡＮ）のダウンロード］  
図８Ｂを参照すると、ユーザは例えば次のようにフロアディスプレイシステムを遠隔で構成できる。即ち、ユーザは装置800を建物内のコンピュータ108（例えば図１を参照するとネットワークサーバ）へ接続し、この接続は例えばＩＲＤＡ（赤外線データ連合）を経て無線で、または配線によるＵＳＢリンクを経て行われる。ネットワークサーバ108は次に（例えばＬＡＮ125とイーサネット（Ｒ）を使用して）有線または無線接続により建物内の複数のフロアディスプレイシステム100に接続されることができる。ビデオ／オーディオ内容および／または制御ソフトウェアはその後装置800からネットワークサーバ108へ、またネットワークサーバからそれぞれ接続されたフロアディスプレイシステム100へダウンロードされる。第１のフロアディスプレイシステムにダウンロードされたデータは例えば第１および第２のフロアディスプレイシステムのそれぞれの位置にしたがって、第２のフロアディスプレイシステムにダウンロードされたデータとは異なっていてもよい。装置800は例えばＣＳＤ、パーソナルコンピュータまたはラップトップコンピュータ等である。代わりに、サーバ108は内容および制御ソフトウェアを含むデータベース109に連結され、ユーザはサーバ108にデータベース109からフロアディスプレイシステムへ内容および／または制御ソフトウェアをダウンロードするように命令することができる。
【００３６】
［構内無線のダウンロード］  
図８Ｃを参照すると、本発明の実施形態にしたがって、ユーザは前述したようにネットワークサーバコンピュータへ接続する必要はない。代わりに、ユーザは構成される複数のフロアディスプレイシステムの近辺に居ればよく、１００フィート以上程離れてフロアディスプレイシステムを無線で遠隔的に構成する。図８Ｃに示されているように、ユーザは例えばＣＤＭＡ（符号分割多元アクセス）または他の類似の通信プロトコルを通して商用の施設の各フロアディスプレイシステム100と通信するために、無線信号802を送信できる短距離の無線送信機が取付けられているラップトップコンピュータまたはＣＳＤのような装置800を有する。このようにして、内容および／または制御ソフトウェアはネットワークを通らずに各フロアディスプレイシステムに無線でダウンロードされることができる。その代わりに、同一の短距離無線送信はデータをネットワークサーバ108へ送信するために使用され、これはその後データを各フロアディスプレイシステムへ分配する。
【００３７】
［広域網（ＷＡＮ）のダウンロード］  
図８Ｄを参照すると、本発明の実施形態によって、商業施設のような多数の異なる建物内の複数のフロアディスプレイシステムとの遠隔通信と、その構成が可能である。これは例えばＷＡＮ（広域網）構造で実現される。特に、図８Ｄに示されているように、中央制御位置803はインターネットまたはその他の有線または無線（例えば人工衛星）ＷＡＮ804への有線または無線接続を介して各施設に関連するＬＡＮ125に連結されることができる。その各ＬＡＮ125は有線または無線手段により施設中に配置されている複数のフロアディスプレイシステム100へ連結されることができる。ビデオ／オーディオ内容および／または制御ソフトウェアはその後、中央制御位置803から各ＬＡＮへダウンロードされ、これらのＬＡＮはその後、ビデオ／オーディオ内容および／または制御ソフトウェアを複数のフロアディスプレイシステムへ送信する。前述したように、同じ施設のそれぞれのフロアディスプレイシステムに対しては異なるビデオ／オーディオ出力を発生されることが望ましく、各フロアディスプレイシステムはそれに割当てられた特有の識別子コードを有することができる。この識別子コードは特定のフロアディスプレイシステムを意図するビデオ／オーディオ内容および／または制御ソフトウェアに対応するデジタルデータのヘッダで与えられる。ヘッダ情報は各フロアディスプレイシステムがそれを意図しているデータを受信したことを確認するために使用されることができる。
【００３８】
［衛星ネットワークのダウンロード］  
前述のＷＡＮダウンロード技術の変形として、衛星ネットワークダウンロードが使用されることができ、その場合には広域網は衛星コンステレーションを介して設けられる。衛星はフロアディスプレイシステムを含んでいる各施設で受信機（例えばディッシュ受信機）へ１対多点でデータを放送できる。データはその後、ＬＡＮを介して例えばそれぞれのフロアディスプレイシステムへ分配されることができる。モトローラ社のＩｒｉｄｉｕｍと、ヒューズ社のＤｉｒｅｃｔ  ＴＶと、ボーイングデジタルシネマのような衛星システムは既にこのような能力を示している。
【００３９】
［販売用（ＰＯＳ）システムに連結されたフロアディスプレイ］  
本発明の実施形態にしたがったフロアディスプレイシステム100は施設のＰＯＳ（販売用）システムに連結されることができる。ＰＯＳシステムは消費者の嗜好についての情報を収集するために使用される。販売を行うのに特別な広告内容の有効性についての情報は例えば施設中の所定のアイテムの販売をフロアディスプレイシステムに表示される所定の内容のタイミングに相関することによって集められる。これは例えばフロアディスプレイシステムで表示するための特定の広告のスケジュールによって、販売が行われるときに電子的に販売トランザクションを相互参照することにより実現される。このスケジュール情報をＰＯＳシステムヘ提供するために、フロアディスプレイシステムはＰＯＳシステムのコンピュータまたはサーバに直接接続されることができる。代わりに、ＬＡＮのサーバコンピュータは例えば施設の種々のフロアディスプレイシステムにおいて内容のスケジュールを制御し、スケジュール情報をＰＯＳシステムのサーバに提供し、それによって“実時間で”即ち同時に販売トランザクションと相関されることができる。その代わりにスケジュール情報は後に、販売記録を“オフラインで”相関されることができる。
【００４０】
［対話性］  
本発明によるフロアディスプレイシステムの実施形態は以下説明するように対話特徴を含むことができる。
［リクエスト情報］  
本発明の実施形態は、顧客に情報を求め、リクエストされた情報を記録する能力を含んでいてもよい。その１例は図９に示されている。図９に示されているように、人と対話するために設けられる複数の対話装置が有線または無線の接続（例えばブルーツース）を介してフロアディスプレイシステム100に結合されることができる。対話装置は、例えばマイクロホンのような音声入力装置900、文字数字データの入力用のキーボードまたはキーパッド901、タッチ感応ディスプレイスクリーン902、カード読取装置903、バーコードスキャナ905、クーポンディスペンサ907を含むことができる。各装置は音声入力またはタイピング或いはその他の方法での処理に適合するレベルで構成されることができる。フロアディスプレイシステム100は人により音声入力装置900へ与えられる音声の音声認識処理を行うための音声認識ソフトウェアを含んでいる。フロアディスプレイシステムはさらにそのディスプレイ領域の上部表面下に圧力センサ909を含んでいてもよい。圧力センサ909は例えば薄膜接触スイッチとして構成されることができる。前述の各対話装置は信号を制御装置へ送信するためにフロアディスプレイシステムの制御装置103に結合されることができる。制御装置は受信された信号にしたがって所望の機能を行うようにプログラムされることができる。
【００４１】
フロアディスプレイシステム100および関連する対話装置は、例えば商用の施設の便宜的な位置に配置されてもよい。フロアディスプレイシステム100は視覚的または聴覚的に、通り過ぎる顧客に対する情報に対するリクエストを発生する。フロアディスプレイシステムは人の接近が感知装置113によって感知された時にリクエストを発生することができる。情報のリクエストでは、フロアディスプレイシステムは例えば価格、商品の仕様、商品の嗜好、クーポン、または任意の他の種類の所望の情報に関する消費者の意見をリクエストする。フロアディスプレイシステムは、例えば音声入力装置900へ向かって話すことにより、またはキーボード／キーパッド901に情報をキー入力することにより、またはタッチ感応スクリーン902のディスプレイのあるフィールドを押すことにより、或いは圧力センサ909上の圧力により応答を登録するためにフロアディスプレイシステムの特定された部分を踏むことにより、またはこれらの任意の組合せにより応答するように顧客に催促する。
【００４２】
フロアディスプレイシステム100は記憶媒体104のような記憶媒体中に顧客の応答を記録する。十分な応答が集められたとき、その情報は顧客の嗜好を決定するためにブランドの販売会社によりダウンロードされ、解析されることができる。
フロアディスプレイシステム100はまた視覚的またはオーディオ出力のいずれかにより人からのリクエストに応答するように構成されることができ、その場合にリクエストは前述の任意の対話装置（例えばキーボード／キーパッド901、タッチ感応スクリーン902）を使用して音声またはデータを入力することにより行われる。
【００４３】
カード読取装置903は例えば顧客から識別情報を得るために使用される。このような識別情報は名前、年齢、購入暦、来店頻度、最も普通に購入する項目、店のクレジット額、店の割引情報等に関する情報を含むことができるが、これらに限定されない。識別情報は例えばカード読取装置903により読取り可能なカード904上に磁気的に符号化されることができる。カード904は例えば“スマートカード”である。スマートカード（または電子カード）は埋設されたコンピュータチップを典型的に含んでいる既知の装置であり、典型的に通常のクレジットまたはデビットカードのサイズである。
【００４４】
バーコードスキャナ905は例えば顧客がクーポン906を走査することを可能にするために使用される。それに応答して、フロアディスプレイシステムはクーポンに関連する視覚的および／またはオーディオメッセージを発生することができる。メッセージは例えば顧客にクーポンがまだ有効であること、或いはこれが２倍の価値があること等を通知する。顧客はまたバーコードスキャナ905で商品を走査し、それに応答してクーポンを受取ることを可能にされる。クーポン908は印刷または他の方法で生成され、クーポンディスペンサ907により分配される。クーポンディスペンサ907は分配されるクーポンの枚数と、何の商品のクーポンであるかをカウントするカウンタを含んでいる。この情報はフロアディスプレイシステムにより記録され、例えば販売会社により広告、価格等に対する消費者の反応を評価するために使用される。
【００４５】
［人のカメライメージの表示］  
本発明の実施形態は、人のイメージを捕捉し、これをフロアディスプレイシステムで表示させるようにカメラとして構成された対話装置を含むことができる。１例は図１０に示されている。カメラ1000は例えば棚1020上でフロア1050のフロアディスプレイシステム100近くに取り付けられている。カメラ1000はフロアディスプレイシステムの近くを歩行し、またはそこに立っている人1030のイメージを捕捉するように配置されてもよい。人のイメージ1060は例えばフロアディスプレイシステムに表示される広告1070中に組込まれることができる。人のイメージは例えば連続的な動画ビデオまたは静止イメージとして表示される。カメラの“フレームグラッバー”特性は静止イメージの生成に使用されることができる。静止イメージは例えば幾つかの娯楽メッセージを伝送するためイメージ編集ソフトウェアにより変更されることができる。例えば、図10の広告1070では、ミルクが付いた唇が人の顔面に重畳されることができる。
【００４６】
［光学系］  
本発明の実施形態にしたがったディスプレイの可視または視覚的効果を強化する技術はプリズムの使用を含んでいる。回折またはフレネルプリズムが知られており、例えばブランド名Ｒｅｆｌｅｘｉｔｅ（商標名）として入手可能である。このような回折プリズムは数ミリメートルまたはミリメートルの数分の一の薄い厚さにすることができる。本発明の実施形態によれば、回折プリズムを含む材料の薄層がフロアディスプレイシステムの電子ディスプレイ装置上に配置されることができる。電子ディスプレイ装置上のこのような回折プリズムの配置は特に特定の方向に沿って対応する表示がより容易に見られることを可能にする。同時に、プリズム材料は薄いので、フロアディスプレイシステムは妨害物とはならない。図１１はフロアディスプレイシステム100の電子ディスプレイ装置101上に薄い回折プリズムを有する材料1100の層の配置を示している。
【００４７】
［オーディオ］  
本発明の実施形態は、特に例えば複数のフロアディスプレイシステムを含む商用の施設またはその他の公共の建物で訪問者に対する妨害を最小にする観点から、フロアディスプレイシステムのオーディオ装置111により発生される音響量を慎重に制御することを可能にしている。したがってオーディオ装置により出力される音響の音量および帯域幅は音響が伝播する距離を制限するように制御されることができる。例えば低い周波数の音波（例えば約２００乃至３００Ｈｚよりも低い）は高い周波数の音波よりも低い減衰で遠くへ伝播する。したがって、本発明の実施形態は約２００乃至３００Ｈｚよりも僅かに高い周波数を含むようにオーディオ出力を制御し、オーディオ出力が予め定められた範囲内の人により最適に知覚可能であるように振幅を制御するために適切なソフトウェアを実行する制御装置103のような制御機構を具備することができる。
【００４８】
実施形態はさらに発生されるべきオーディオ出力の種類に関する決定を行うために信号を提供するための接近検出器を含むことができる。例えば接近検出器は人がフロアディスプレイシステムから予め定められた距離内にいるときに検出して、対応する信号をフロアディスプレイシステムの制御装置へ送信する。接近検出器から受信された信号に基づいて、制御装置はオーディオ出力を開始または停止し、オーディオ信号の周波数および音量等を制御する。それぞれのフロアディスプレイシステムの制御装置もまたフロアディスプレイシステムで可能な種々のネットワーク構造に関連して前述したように中央コンピュータに連結されることができる。中央コンピュータは例えば相互の予め定められた距離内のフロアディスプレイシステムが同時にオーディオ出力を発生することを阻止するためにそれぞれのフロアディスプレイシステムのオーディオ出力を制御することができる。
【００４９】
実施形態では、オーディオ装置111はさらに例えばフロアカバー中に一体化されるか、その近辺に配置される指向性スピーカを含むことができる。指向性スピーカは人の接近が予測される１つまたは複数の方向に指向されることができる。接近検出器は近づいてくる人の方向を検出し、その情報は対応する指向性スピーカにオーディオ出力を発生させるため制御装置により使用される。
【００５０】
オーディオ制御の前述の説明と可変イメージ方位の前述の説明を考慮して、本発明の実施形態はビデオおよび／またはオーディオ出力を人の近接度に基づいて制御できることを理解すべきである。特に、人の近接度に基づいて、本発明の実施形態によるフロアディスプレイシステムはビデオまたはオーディオ出力のいずれかを開始または停止し、イメージの方位、オーディオ出力特性を別々にまたは組合わせて調節することができる。
【００５１】
［保護カバー］  
前述したように、本発明の実施形態は電子ディスプレイ装置の丈夫な保護カバーを具備することができる。このような保護カバーにおける可能な実施形態にしたがったさらに構成の詳細を図１２のＡおよびＢを参照して以下説明する。
図１２のＡに示されているように、保護カバー1200は、単なる例示としてはガラスまたは剛性プラスティックから構成された強力な透明部材1210を有している。保護カバーは透明な部材1210上に硬い被覆1220を含むことができ、被覆1220は例えばダイヤモンドに類似している機械的特性を有するが高価ではない既知の硬い濃密の炭素被覆のようなダイヤモンド状被覆である。被覆1220は技術でよく知られているプラスティックレンズを被覆するために使用されるようなプラスティックまたはポリマー被覆から形成されるか、それを含んでいる。保護カバーは硬い被覆1220上にさらに反射防止被覆1230を含んでいてもよい。反射防止被覆1230は例えばレンズ被覆技術で知られているように反射を減少する種々の屈折率を有する多層または有機金属酸化物または有機または高分子被覆を含むことができる。示さないが、実施形態では、透明部材1210の底部表面1205上に反射防止被覆が存在してもよい。前述の被覆は眩しさを減少し、引っかきに対して耐性がある。
【００５２】
図１２のＢは硬い被覆1220が省略され、反射防止被覆1230だけが透明部材1210の上部表面に設けられている別の実施形態を示している。示さないが、実施形態では、透明部材1210の底面1205上にも反射防止被覆が存在してもよい。
［滑り防止］  
本発明の実施形態はさらに取外し可能な透明の保護シートを具備してもよい。取外し可能な透明の保護シートは例えば湿気または濡れることにより、フロアディスプレイシステム上に人が足を踏み入れるとき、滑る可能性を減少する助けをするために滑り防止特性を含むことができる。図１３のＡを参照すると、取外し可能な透明の保護シート1300は前述の保護カバー1200を覆って配置されることができる。さらに、保護カバー1200に対する損傷（例えば汚れおよび引っかき傷）を防止するために、シート1300は滑り防止表面を有し、滑りに対する抵抗は、表面上またはそこに構成された粗粒または砂のような粒子と、踏み面、開口またはその他の表面の不連続性1300.1と、シートの吸水および／または撥水材料と、滑り防止に貢献するシートの他の材料特性と、表面上の滑り防止被覆と、それらの任意の組み合わせによって与えられる。シートは電子ディスプレイ装置およびフロアカバーを含むフロアディスプレイシステム全体をカバーすることができ、またはその一部だけをカバーできる。滑り防止材料は例えばストリップの形態でフロアディスプレイシステムを横切って分布されてもよい。
【００５３】
図１３のＢに示されているように、実施形態はスタック1301の形態の複数の保護被覆を含むことができ、シートは個々の取外し可能である。スタックの上部シートが汚れた時、これは除去されて廃棄され、下の新しいシートを露出させることができる。さらに別の代りの形態では、滑り防止保護シート材料は連続的な材用1302のロール形状であり、綺麗な材料は例えばタイミング機構または汚れ検出機構により与えられる。
【００５４】
［芳香性技術］  
本発明の実施形態は芳香性技術を含んでいてもよい。例えば各シート間に香気または芳香を閉じ込めた積層シートはフロアディスプレイシステムと共に使用されるディスペンサ中に設けられることができる。例えば積層シートは例えばスタンド上のフロアディスプレイシステムの上またはその付近に設けられたディスペンサ中に配置されることができる。代わりに、透明な香気のあるシートは例えばフロアカバーの傾斜した表面上のフロアディスプレイシステムの全てまたは一部に配置されることができる。このような特徴は特に石鹸、ローション、化粧品、洗剤、織物柔軟剤、空気清浄器、および主要特徴として香気または芳香を使用する多数の他の商品の販売で特に有効である。
【００５５】
図１４を参照すると、別の実施形態において、フロアディスプレイシステム100は周期的ベースまたは所定の広告を伴って、芳香をひと吹きする電子機械的芳香ディスペンサ1400を含むことができる。このディスペンサ1400は例えばフロアカバー102に接続されているかその上に存在し、または他の方法でフロアディスプレイシステムに関連されている。このようなディスペンサ装置は貯蔵された芳香材料の少量をスプレーする非常に小さいポンプを生成するために小さいピエゾ電気アクチュエイタを使用して開発されている。また、ＭＥＭ（マイクロ電子機械システム）は流体の電子機械的ポンプを行うために開発されている。
【００５６】
［盗難防止］  
本発明の実施形態は以下説明するように盗難防止を行う。
［警報システム］  
実施形態にしたがったフロアディスプレイシステムはそれが許可なく動かされるならば付勢されるように構成されている警報システムを具備することができる。図１５を参照すると、警報システムはフロアディスプレイシステムが動かされるか否かを検出できる無許可移動検出装置1500を具備してもよい。この装置1500は例えばフロアカバー102に接続されるかその上または内部に存在し、または他の方法でフロアディスプレイシステム100に接続されることができる。装置は例えば制御装置103に結合されている加速度計または水銀スイッチを含むことができる。フロアディスプレイシステムの位置の変化を検出するとき、装置は信号を制御装置へ送信する。制御装置はその後、可聴および／または可視警報が発生されるべきか否かについての決定を行う。警報は例えばサイレン音等の放出および／または“警戒”または“盗難”のようなメッセージをディスプレイ装置上で点滅させることを含んでいる。スイッチまたはソフトウェア設定はフロアディスプレイシステムが警報の発生なく動かされることができるように警報システムを不動作にするために使用される。
【００５７】
［電気パルス］  
別の実施形態によるフロアディスプレイシステムは前述したようにフロアディスプレイシステムが動かされたか否かを検出できる装置を含む警報システムを具備することができる。しかしながら。警報の発生の代わりまたはそれに加えて、警報システムはフロアディスプレイシステムが許可なく動かされるならば電気パルスを放出するように構成されることができる。したがって図１５を参照すると、フロアディスプレイシステム100は電気パルス発生器1501を含むことができる。電気パルス発生器は例えばフロアカバー102に接続されるかその上または内部に存在し、或いは他の方法でフロアディスプレイシステムに関連されることができる。電気パルス発生器1501はフロアディスプレイシステムの無許可使用者がさらにフロアディスプレイシステムを扱うことを抑制させる。スイッチまたはソフトウェア設定はフロアディスプレイシステムがパルスの発生なしに動かされることができるように、電気パルス発生器を消勢するために使用される。
【００５８】
［構造およびアセンブリ］  
図１６は本発明の実施形態の可能な構成の詳細を示している。図１６に示されているように、フロアディスプレイシステム100のフロアカバー102は図３を参照して前述したように例えば４個のパネルの電子ディスプレイ装置の各４個のＬＣＤディスプレイ上のバックライトを駆動するための電力を提供するための４個の電子インバータ1620、1630、1640、1650を具備することができる。電力はケーブル1660を介して供給されることができる。制御装置103のような制御装置は以下説明するように、他のコンポーネントがさらに完全なアセンブリを形成するために付加されるときフロアカバー102の境界内に保持されるのに十分小さいか薄いように構成される。
【００５９】
図１７はフロアディスプレイシステム100の分解図である。ベースコンポーネント1710は前述したように４個のインバータ1620、1630、1640、1650とケーブル1660を具備する配線されたアセンブリ1720を受けて支持するように構成されることができる。構造1730は配線されたアセンブリ1720に配置され、構造1730はプラスティックまたは他の材料から形成されることができ、前述した傾斜した表面212、213、214、215のサポートを行っている。構造1730はさらにそこに形成された凹部に４個の個別のパネルを具備する電子ディスプレイ装置101を受けるように構成されることができる。
【００６０】
カーペットまたはゴムなどのような表面材料1750のセクションは４つの傾斜した表面212、213、214、215を形成するために構造1730上に配置されてもよい。サポートリブ1770を含む強化ガラスのプレートは電子ディスプレイ装置101の保護カバー1200として使用されることができる。フロアディスプレイシステムのコンポーネントは例えば接着剤、エポキシまたは機械的なファスナにより共に保持されることができる。複数の分離可能な保護シート1301は強化ガラス1200上に配置されることができる。保護シート1301は滑り防止特性1300.1を含むことができる。
【００６１】
示されていないが、オーディオ装置110は前述のアセンブリ中に含まれることができる。オーディオ装置は例えば薄いプロフィールのスピーカまたはピエゾ電気スピーカから形成されることができる。
図１８はタイルフロア1820上に存在する実施形態にしたがったフロアディスプレイシステム100の組立てられたコンポーネントを示している。
【００６２】
フロアディスプレイシステムの電子装置により発生された熱はこのような目的で知られている注封材料により管理されることができる。電子装置は例えばヒートシンクとして作用する薄い金属プレートに注封され結合されることができる。
本発明の実施形態はさらに、例えば歩行による湿気が電子コンポーネントを損傷することを防止するために防水素子を含むことができる。このような防水素子は例えば損傷を生じる湿度を通過する間隙において密封剤として使用される注封材料を含むことができる。例えば、注封化合物は湿度を遮断するために電子ディスプレイ装置とフロアカバーとの間の空間に使用されることができる。シリコーン等の防水物質もまたこのような目的で使用されることができる。さらに例えば、防水シールが電子ディスプレイ装置の保護カバーとフロアディスプレイシステムの他の表面との間に形成されることができる。シリコーンのような密封剤は防水シールを形成するために使用されることができる。
【００６３】
［トラックおよびトレンチシステム］  
本発明の実施形態は“トラックおよびトレンチ”システムとして構成されているフロアディスプレイシステムを含んでもよい。トランクおよびトレンチシステムは１以上の電子ディスプレイ装置のフロアにおける配備を支持するために構成されることができる。
【００６４】
図１９Ａは１例を示している。図１９Ａでは、トレンチ1910がフロア1905に形成される。トラック1915はトレンチ内に構成されている。棚1920はトラックおよびトレンチに隣接して配置されることができる。
トラック1915は電力を供給し、電子データを転送するための素子を含むことができる。例えば電力ケーブルおよびデータ転送ケーブルはトラック1915に固定またはその中に収納されるか、その他の方法でそれに関連されている。電力ケーブルおよびデータ転送ケーブルは装置がケーブルを介して電力および／またはデータを受信するために電子装置をそれに接続するための複数の接続を含むことができる。
【００６５】
図１９Ｂはトレンチ1910中に配置されている電子ディスプレイ装置1925を示している。電子ディスプレイ装置1925は幾つかの方法でトラック1915に接続され、例えばトラック1915にフックで留められるかスナップ結合されることができる。電子ディスプレイ装置1925は前述の任意のディスプレイ技術および能力を含んでもよい。さらに、図１９Ｂには示されていないが、電子ディスプレイ装置1925は、オーディオ装置、感知装置、対話装置、ネットワーク装置等を含む前述の任意の装置に関連されることができることを理解すべきである。特に、例えば電子ディスプレイ装置1925は前述したように、有線または無線の手段により制御装置103のような制御装置に結合され、ユーザにより選択された任意の内容を表示するために制御装置により変更可能である。電子ディスプレイ装置1925および対応する制御装置はトラック1915の電源に接続されることができる。制御装置はさらに記憶媒体104のような記憶媒体に結合されることができる。データは例えば共通のバスに結合されるデータポート106のようなデータポートを使用して記憶媒体中に記憶されることができる。データポートはトラックのデータ転送ケーブルに結合され、制御装置の制御下で、記憶媒体中に記憶するための内容をケーブルを通して受信し、電子ディスプレイ装置1925上に表示する。したがって、電子ディスプレイ装置1925は電子的に変更可能な任意の内容を表示し、イメージの回転および／または変換をサポートし、または他の方法で電子ディスプレイ装置と共に前述した任意の能力を含むように構成されることが可能である。
【００６６】
図１９Ｃに示されているように、トレンチ1910のスペースはセクション1930のような適合されたセクションにより閉じられるかカバーされることができる。このような適合されたセクションは電子ディスプレイ装置1925により充填されないトレンチのスペースを閉じるために使用されることができる。本発明の実施形態はさらに電子ディスプレイ装置の保護カバー1935を含むことができる。この保護カバー1935は全体が透明であるか、部分的に不透明であり、電子ディスプレイ装置を観察するために透明なウィンドウ1935.1を含んでいる。
【００６７】
図１９Ｄは線１９Ｄ−１９Ｄに沿った断面図を示している。参照符号1950と1955はそれぞれデータケーブルとパワーケーブルに対応している。図１９Ｄで見られるように、本発明の実施形態はさらに電子ディスプレイ装置1925を所望のレベルまで上げるためのライザー1960を具備し、さらに保護被覆1935をトラック1915と共にサポートする。
【００６８】
トラックおよびトレンチシステムを含む実施形態の利点には前述したように、電子ディスプレイッシステムがフロアレベルよりも下または実質上そのレベルに置かれるために、そこに存在する歩行または他の横断に対して障害物が存在しないことが含まれている。また、トラックによる電力およびデータ供給の共有は比較的経済的な構造を可能にする。
【００６９】
［位置設定機構］  
本発明の実施形態はさらに良好に観察するために選択された傾斜でフロアに関連する電子ディスプレイ装置の位置を設定するための機構を含んだフロアディスプレイシステムに関連している。図２０のＡ乃至Ｃはその例であり、図２０のＢは図２０のＡに対応する直交した側面図である。実施形態によれば、電子ディスプレイ装置2000はフロア2015上に位置するか、蝶番で固定されるかまたはその他の方法でそれに関連されることができる。位置設定装置2020はフロア2015に関して予め定められた角度θに電子ディスプレイ装置2000を位置させるようにそれに結合されることができる。これは電子ディスプレイ装置が遠くから見られることを容易にする。位置設定装置2020は例えばばねまたはその他のフレキシブルな、または拡張可能な機構を含んでいてもよい。図２０のＣに示されているように、位置設定装置2020は電子ディスプレイ装置2000が例えば人の足2030の圧力によりフロア2015に接近されることを可能にするために圧縮可能または引き込み可能である。前述の構成の利点は、電子ディスプレイ装置により占有される領域が足または他の横断に使用されることができることである。図２０のＡ乃至Ｃに示されていないが、電子ディスプレイ装置2000は前述の任意の表示技術および能力を含み前述の任意の装置と関連されることができることを理解すべきである。したがって、電子ディスプレイ装置2000は電子的に変更可能な任意の内容を表示し、イメージの回転および／または変換をサポートし、または他の方法で電子ディスプレイ装置と共に前述した任意の能力を含むように構成されることが可能である。
【００７０】
図２０のＤおよびＥは別の実施形態を示しており、図２０のＤは図２０のＡに対応する直交側面図である。図２０のＤおよびＥに示されているように、それぞれ前述の図２０のＡ乃至Ｃを参照して説明したように個々に構成される２つの電子ディスプレイ装置2000は背中合わせに構成され、共通の位置設定装置2020を共有している。
【００７１】
［フレキシブルな電子ディスプレイ装置］  
本発明の実施形態に従った電子ディスプレイ装置は非常に薄く、フレキシブルで、軽量の材料から形成されることができる。１例が図２１のＡ乃至Ｃに示されている。この実施形態によれば、電子ディスプレイ装置2100は図２１のＡに示されているように湾曲および屈曲が可能な軽量の材料で構成されている。特に、電子ディスプレイ装置2100は軽量のフレキシブルディスプレイ素子層2120と軽量のフレキシブルフレーム2110を含むことができる。ディスプレイ素子層2120は小さいモジュールＯＬＥＤ、ポリマーＯＬＥＤ、ＰＬＥＤまたはＬＥＰのようなディスプレイ素子を具備してもよい。図２１のＢとＣはそれぞれ線２１Ｂ−２１Ｂと２１Ｃ−２１Ｃに沿った断面図である。図２１のＢに示されているように、フレキシブルなフレーム2110は軽量のフレキシブルな透明保護層2130と軽量のフレキシブルな背面層2160とを含むことができる。ディスプレイ素子層2120は背面層2160と透明な保護層2130との間に配置される。透明な保護層は例えばポリカーボネート、マイラー、またはその他の強くて透明プラスティックで構成することができる。図２１のＣに示されているように、電子ディスプレイ装置2100はさらにディスプレイを付勢するために軽量のフレキシブルな薄膜電池2170を含むことができる。薄膜電池2170はディスプレイ素子層2120と背面層2160との間に配置される。
【００７２】
電子ディスプレイ装置2100はさらにディスプレイ素子層のディスプレイを駆動するための軽量な制御電子装置2140を具備することができる。示されているように、制御電子装置2140はディスプレイ素子層2120の側面にあるフレーム2110により収納される。その代わりに、制御電子装置は例えばディスプレイ素子層2120と背面層2160（図２１のＢ）との間、または背面層2160と薄膜電池2170（図２１のＣ）との間に配置されることができる。
【００７３】
さらに、図２１のＡ乃至Ｃには示されていないが、電子ディスプレイ装置2100は前述の任意の装置と関連され、電子的に変更可能な随意選択的な任意の内容を表示し、イメージの回転および／または変換を支持し、または他の方法で電子ディスプレイ装置に関連して前述した任意の能力を含むように構成されることが可能であることが理解されるべきである。
【００７４】
前述したように、電子ディスプレイ装置2100は非常に軽量で、それ故容易に携帯可能である。例えば、電子ディスプレイ装置2100は巻かれ、新聞のように人の腕で運ばれることが考慮される。
本発明の幾つかの実施形態を特にここで示し、説明した。しかしながら、前述の教示により、特許請求の範囲に記載された本発明の技術的範囲を逸脱せずに本発明の変更および変形がカバーされることが認識されるであろう。
【図面の簡単な説明】
【００７５】
【図１】本発明の実施形態にしたがったフロアディスプレイシステムを示す図。
【図２Ａ】本発明の実施形態にしたがったフロアディスプレイシステムを示す図。
【図２Ｂ】本発明の実施形態にしたがったフロアディスプレイシステムを示す図。
【図２Ｃ】本発明の実施形態にしたがったフロアディスプレイシステムを示す図。
【図２Ｄ】本発明の実施形態にしたがったフロアディスプレイシステムを示す図。
【図３】本発明の実施形態にしたがった可変イメージ方位を示す図。
【図４】本発明の実施形態にしたがった可変イメージ方位を示す図。
【図５Ａ】本発明の実施形態にしたがった可変イメージ方位を示す図。
【図５Ｂ】本発明の実施形態にしたがった可変イメージ方位を示す図。
【図５Ｃ】本発明の実施形態にしたがった可変イメージ方位を示す図。
【図６Ａ】本発明の実施形態にしたがった可変イメージ方位を示す図。
【図６Ｂ】本発明の実施形態にしたがった可変イメージ方位を示す図。
【図７】本発明の実施形態にしたがった可変イメージ方位を示す図。
【図８Ａ】選択された内容を有する本発明の実施形態にしたがったフロアディスプレイシステムを構成する種々の配置を示す図。
【図８Ｂ】選択された内容を有する本発明の実施形態にしたがったフロアディスプレイシステムを構成する種々の配置を示す図。
【図８Ｃ】選択された内容を有する本発明の実施形態にしたがったフロアディスプレイシステムを構成する種々の配置を示す図。
【図８Ｄ】選択された内容を有する本発明の実施形態にしたがったフロアディスプレイシステムを構成する種々の配置を示す図。
【図９】本発明の実施形態にしたがったフロアディスプレイシステムに関連されている種々の対話装置を示す図。
【図１０】本発明の実施形態にしたがったフロアディスプレイシステムに関連されている種々の対話装置を示す図。
【図１１】本発明の実施形態にしたがった薄い回折プリズムを具備する材料の層を示す図。
【図１２】本発明の実施形態にしたがった保護カバーを示す図。
【図１３】本発明の実施形態にしたがった保護シートを示す図。
【図１４】本発明の実施形態にしたがった警報システムを示す図。
【図１５】本発明の実施形態にしたがった警報システムを示す図。
【図１６】本発明の実施形態にしたがったフロアディスプレイシステムのコンポーネントおよび組立てを示す図。
【図１７】本発明の実施形態にしたがったフロアディスプレイシステムのコンポーネントおよび組立てを示す図。
【図１８】本発明の実施形態にしたがったフロアディスプレイシステムのコンポーネントおよび組立てを示す図。
【図１９Ａ】本発明の実施形態にしたがったトラックおよびトレンチシステムを示す図。
【図１９Ｂ】本発明の実施形態にしたがったトラックおよびトレンチシステムを示す図。
【図１９Ｃ】本発明の実施形態にしたがったトラックおよびトレンチシステムを示す図。
【図１９Ｄ】本発明の実施形態にしたがったトラックおよびトレンチシステムを示す図。
【図２０】本発明の実施形態にしたがった位置付け機構システムを示す図。
【図２１】本発明の実施形態にしたがった軽量でフレキシブルな電子ディスプレイ装置を示す図。
【図１】
2006503341.tif 000003
【図２Ａ】
2006503341.tif 000004
【図２Ｂ】
2006503341.tif 000005
【図２Ｃ】
2006503341.tif 000006
【図２Ｄ】
2006503341.tif 000007
【図３】
2006503341.tif 000008
【図４】
2006503341.tif 000009
【図５Ａ】
2006503341.tif 000010
【図５Ｂ】
2006503341.tif 000011
【図５Ｃ】
2006503341.tif 000012
【図６Ａ】
2006503341.tif 000013
【図６Ｂ】
2006503341.tif 000014
【図７】
2006503341.tif 000015
【図８Ａ】
2006503341.tif 000016
【図８Ｂ】
2006503341.tif 000017
【図８Ｃ】
2006503341.tif 000018
【図８Ｄ】
2006503341.tif 000019
【図９】
2006503341.tif 000020
【図１０】
2006503341.tif 000021
【図１１】
2006503341.tif 000022
【図１２】
2006503341.tif 000023
【図１３】
2006503341.tif 000024
【図１４】
2006503341.tif 000025
【図１５】
2006503341.tif 000026
【図１６】
2006503341.tif 000027
【図１７】
2006503341.tif 000028
【図１８】
2006503341.tif 000029
【図１９Ａ】
2006503341.tif 000030
【図１９Ｂ】
2006503341.tif 000031
【図１９Ｃ】
2006503341.tif 000032
【図１９Ｄ】
2006503341.tif 000033
【図２０】
2006503341.tif 000034
【図２１】
2006503341.tif 000035
【手続補正書】
【提出日】平成16年10月5日(2004.10.5)
【手続補正１】
【補正対象書類名】明細書
【補正対象項目名】００１６
【補正方法】変更
【補正の内容】
【００１６】
図２Ｃおよび２Ｄは、さらにフレキシブルまたは圧縮可能なボーダー部材220を具備している本発明の実施形態を示している。ボーダー部材220は傾斜した表面212、213、214、215のエッジに接触するように構成されている。例えば、図２Ｄの断面図に示されているように、ボーダー部材220は傾斜した表面215のエッジ221に接触してもよい。柔軟な表面を設けることにより、ボーダー部材のフロアからフロアカバー102への転移はフロアカバーを横切る人に気づかれないように急ではなくなる。ボーダー部材は単なる例示として金属、木、プラスティック、天然ゴム、シリコンゴム、発泡ゴムまたはウレタンのような材料から形成されることができる。
【手続補正２】
【補正対象書類名】明細書
【補正対象項目名】００１８
【補正方法】変更
【補正の内容】
【００１８】
制御装置は記憶媒体104に結合され、それはＲＡＭ（ランダムアクセスメモリ）、ＲＯＭ（読取専用メモリ）、フラッシュメモリまたはその他の不揮発性固体電子記憶装置、ＥＥＰＲＯＭ（電子的に消去可能でプログラム可能な読取専用メモリ）または磁気および／または光学的ディスク記憶装置を含むデジタルデータを記憶するのに適切な任意の形態の媒体であってもよい。記憶媒体104は例えば制御装置103による実行のための制御ソフトウェア、表示のための選択のビデオ内容を制御ソフトウェアの制御下において、電子ディスプレイ101で表示するために記憶することができる。ディスプレイモニタおよびキーボードを有するパーソナルコンピュータのようなユーザインターフェース（図示せず）は、特定の制御プログラムのような特定のユーザ入力を有する制御装置の構造が特定のディスプレイおよび／またはオーディオ出力を発生することを可能にするために制御装置に結合されることができる。高声器のようなオーディオ装置111はさらに音響カード110を介して制御装置103に結合される。オーディオ装置111は記憶媒体104中に記憶されている選択されたオーディオ内容を制御装置103の制御下で出力する。フロアディスプレイシステム100のコンポーネントは電源114により付勢されることができる。フロアディスプレイシステムは以下さらに詳細に説明するように、フロアディスプレイシステムの種々の対話応用を提供するため感知装置103をさらに具備してもよい。感知装置113は制御装置113に結合され、それに信号を提供する。感知装置と制御装置の接続は配線または無線である。
【手続補正３】
【補正対象書類名】図面
【補正対象項目名】図１
【補正方法】変更
【補正の内容】
【図１】
2006503341.tif 000036
【手続補正４】
【補正対象書類名】図面
【補正対象項目名】図８Ａ
【補正方法】変更
【補正の内容】
【図８Ａ】
2006503341.tif 000037
【手続補正５】
【補正対象書類名】図面
【補正対象項目名】図８Ｂ
【補正方法】変更
【補正の内容】
【図８Ｂ】
2006503341.tif 000038
【手続補正６】
【補正対象書類名】図面
【補正対象項目名】図８Ｃ
【補正方法】変更
【補正の内容】
【図８Ｃ】
2006503341.tif 000039
【手続補正７】
【補正対象書類名】図面
【補正対象項目名】図８Ｄ
【補正方法】変更
【補正の内容】
【図８Ｄ】
2006503341.tif 000040
【国際調査報告】
2006503341.tif 000041